(57)【要約】      （修正有）【課題】ポリ袋を多数枚セットして連続し作業が出来て、ポリ袋の大きさが違っても出来、ポリ袋に入った物を重量選別出来るので大変便利で、取扱いも手軽に出来て従来より作業が大変楽になり能率も向上した野菜ポリ袋入機を提供する。【解決手段】ポリ袋に取付穴２ヶ所あけて前面切かき多数枚機械にセットして前面切かき部より送風機を使ってエヤーを送り、ポリ袋全体を広げる様にペダルを足で踏むとポリ袋の入口を開かす事が出来る様にする。野菜によりポリ袋の大きさが違うので、各種出来る様にする。また野菜をポリ袋に入ったものを計量選別出来る様にする。【選択図】図１
0003132649.tif 000002
【実用新案登録請求の範囲】
【請求項１】
フレーム（１）のポリ袋取付軸（１５）にポリ袋（１６）を多数枚取付けてペタル軸（３）に歯車大（４）を取付けロット軸（３―１）に歯車小（５）を取付けてロット軸（３−１）のアームにロットエンド（１０）にロット棒（１１）を上段軸受（８）左右軸（９）にポリ袋入口を開かす作動枠（１３）をセットして軸（９）にアームロットエンド（１０）とロット棒（１１）と連結してペタルを足で踏むと作動枠（１３）が角度移動してポリ袋入口を開かす上部より送風機（１９）を使ってポリ袋全体を広げる事が出来る。野菜を供給口より落としてポリ袋に入れて下部より引っ張り出す。また、野菜によりポリ袋の大きさが違うので、ポリ袋に合わせて入口を開かす事が出来る（Ａ）（Ｂ）（Ｃ）の様にペタルを踏む角度を調整することが出来る事を特徴とする野菜ポリ袋入機。
【請求項２】
野菜ポリ袋入機に野菜をポリ袋に入れた物を計量する事が出来る様にする為に、ポリ袋の下面のテーブル（２２）に３ヶ所に軸（２３）を取付けてスプリング（２４）をはめて、ポリ袋に野菜を入れた物を測定する軸（２３）を検知するセンサータッチスイッチ（２５）で重量を検知して計量ランプ（２７）に指示する事が出来る。重量選別も三段階に出来る事を特徴とする野菜ポリ袋入機。
【考案の詳細な説明】
【技術分野】
【０００１】野菜をポリ袋に入れる主な野菜、ナス、キュウリ、ピーマン、ニンジン、水菜、サラダ菜、ホウレン草、ジャガイモ、サトイモなど、野菜の生産者は出荷する時、選別してポリ袋に入れて出荷する。
【背景技術】
【０００２】従来は野菜生産者が手作業でポリ袋に入れて出荷している。大量生産者は自動機を使って作業している。機械の価格が高いので一般生産者は手軽に出来る機械を要望している。
【考案の開示】
【考案解決しようとする課題】
【０００３】ポリ袋を多数枚セットして自動的に取り出す事が出来る様にする送風機を使ってポリ袋全体を広げる様にする。野菜によりポリ袋の大きさが違うので各種出来る様にする。ポリ袋に入れた野菜を計量を同時に出来る様にする。野菜の単品を重量選別をする事も出来る様にする。
【課題を解決するための手段】
【０００４】ポリ袋に取付穴２ヶ所あけて前面切かき多数枚機械にセットして前面切かき部より送風機を使ってエヤーを送り、ポリ袋全体を広げる様にペタルを足で踏むとポリ袋の入口を開かす事が出来る様にする。野菜によりポリ袋の大きさが違うので、各種出来る様にする。また野菜をポリ袋に入ったものを計量選別出来る様にする。
【考案の効果】
【０００５】ポリ袋を多数枚セットして連続し作業が出来る野菜により、ポリ袋の大きさが違っても出来る事ポリ袋に入った物を重量選別出来るので大変便利です取扱いも手軽に出来て従来より作業が大変楽になり能率も向上した。
【実施例】
【０００６】ポリ袋取付軸（１５）に多数枚セットしてペタル（６）を足で踏むとロット軸（３−１）作動して上段左右の軸受（８）にポリ袋を開かず作動枠（１３）角度移動してポリ袋の入口開かす、上部より送風機（１９）よりエヤーを送ってポリ袋全体を広げる供給口（２０）より野菜を入れてポリ袋に入れる事が出来る。ポリ袋に野菜が入れた物計量するまた選別も三段階にする事ができる。【０００７】野菜によりポリ袋の大きさが違うのでポリ袋大きさに合わせて調整する事が出来るペタルの踏む角度。（Ａ）（Ｂ）（Ｃ）【０００８】野菜の重量選別も三段階に計量ランプで指示することが出来る。
【図面の簡単な説明】
【０００９】
【図１】組立全体の斜視図
【図２】正面図一部断面図
【図３】側面作動図
【図４】平面一部断面  供給口取替図
【図５】ポリ袋の取付とポリ袋の形状図
【図６】計量器及び台
【符号の説明】
【０００１０】（Ａ）（Ｂ）（Ｃ）    ペタル踏角度
（１）    フレーム
（２）    軸受
（３）    ペタル軸
（３−１）    ロット軸
（４）    歯車大
（５）    歯車小
（６）    ペタル
（７）    スプリング（引張用）
（８）    上段軸受
（９）    上段軸
（１０）    ロットエンド
（１１）    ロット棒
（１２）    スプリング（引張用）
（１３）    ポリ袋入口開かす作動枠
（１４）    ポリ袋開き押さえ板
（１５）    ポリ袋取付軸
（１６）    ポリ袋
（１６―１）    ポリ袋取付穴
（１６−２）    前面切カキ
（１７）    ポリ袋押さえガイド軸
（１８）    ポリ袋押さえ
（１８−１）    引張スプリング
（１９）    送風機
（２０）    供給口
（２０−１）    野菜入る供給口取替用
（２０−２）        〃
（２０−３）        〃
（２１）    計量器台
（２２）    計量器テーブル
（２３）    軸３ヶ所
（２４）    スプリング（圧縮用）
（２５）    センサータッチスイッチ
（２６）    計量器
（２７）    計量ランプ
（２８）    送風機スイッチ
【図１】
0003132649.tif 000003
【図２】
0003132649.tif 000004
【図３】
0003132649.tif 000005
【図４】
0003132649.tif 000006
【図５】
0003132649.tif 000007
【図６】
0003132649.tif 000008
【手続補正書】
【提出日】平成18年7月15日(2006.7.15)
【手続補正１】
【補正対象書類名】実用新案登録請求の範囲
【補正対象項目名】全文
【補正方法】変更
【補正の内容】
【実用新案登録請求の範囲】
【請求項１】
フレーム本体のポリ袋取付軸に多数枚セットしてペタル足で踏んで操作してポリ袋の入口を開かせ押え板でポリ袋の入口のふちを止めて上部に送風機を設置してエヤーを送りポリ袋全体を広げ供給口より野菜を入れる。ペタルを足で踏む角度調整して各種のポリ袋を使用する事ができる事を特徴とする野菜ポリ袋入れ機。
【請求項２】
野菜をポリ袋に入れると同時に計量するために、ポリ袋の下部のテーブルに野菜をポリ袋に入れた物を測定する重量選別も３本の軸より３段階に選別する事が出来る、下部に重さを測定するセンサーで検知して計量ランプに指示してランプ色別に分かりやすくする事ができる。（請求項１）に設置して野菜ポリ袋入ると同時に計量する事ができる事を特徴とする野菜ポリ袋入れ機。
【手続補正書】
【提出日】平成18年10月12日(2006.10.12)
【手続補正１】
【補正対象書類名】実用新案登録請求の範囲
【補正対象項目名】全文
【補正方法】変更
【補正の内容】
【実用新案登録請求の範囲】
【請求項１】
フレームのポリ袋取付軸にポリ袋を多数枚セットして上部に送風機を設置してエヤーを送りポリ袋全体を広げて上より野菜を入れるポリ袋下部のテーブル（２２）（図６）の構造３本の軸（２２）の下部にセンサー（２５）で検知して野菜の重量選別を三段階にして計量ランプに指示する。ランプの色別にして選別を分かりやすくする事が出来ることを特徴とする野菜ポリ袋入機。
【手続補正書】
【提出日】平成18年12月18日(2006.12.18)
【手続補正１】
【補正対象書類名】実用新案登録請求の範囲
【補正対象項目名】全文
【補正方法】変更
【補正の内容】
【実用新案登録請求の範囲】
【請求項１】
（１）フレーム  １  の上部に送風機  １９  を設置する。
（２）ポリ袋取付軸  ５  にポリ袋多数枚セットしてペタル  ３，を足で踏むとポリ袋の入口が開き上部送風機  １９，よりエアー送りポリ袋全体が広がります。
（３）野菜を上部の供給口よりポリ袋に入るポリ袋の下面に計量テーブル  ２２，に３本の軸  ２３  の下にセンサー２５で野菜の重量を検知して計量ランプ  ２７  に指示するランプ色別して計量を分かり良くする３本軸で３段階重量選別出来ることを特徴とする野菜ポリ袋入と同時に計量できる野菜ポリ袋入機。
【手続補正書】
【提出日】平成19年2月28日(2007.2.28)
【手続補正１】
【補正対象書類名】実用新案登録請求の範囲
【補正対象項目名】全文
【補正方法】変更
【補正の内容】
【実用新案登録請求の範囲】
【請求項１】
フレーム１の上部に送風機を設置して  ポリ袋取付軸５にポリ袋多数枚セットしてペタル３を足で踏むとポリ袋の入口が開き、送風機よりエアーを送ってポリ袋全体が広がり  供給口より野菜入れる  ポリ袋に入った野菜を重量選別する為に  ポリ袋の下面にテープル２２設置し  テープル２２に３本の軸２３を取り付け  下部にセンサー２５設置して  ポリ袋に入った野菜の重量を検知して指示ランプ２７に指示する３本軸で３段階に重量選別する事を特徴とする野菜ポリ袋入機。